(57)【要約】【課題】入浴しながら人形遊びができ、幼児が進んで入浴をすることができるように仕向けることができる、入浴時に人形遊びをするための最適な構成の人形玩具を提案すること。【解決手段】以下の要件を備えることを特徴とする、人形玩具（イ）上記人形玩具Ａは感温変色する塗料によって所定の色彩で衣服形態に塗装ａが施されていること（ロ）上記感温変色塗料は、感温すると上記所定の色彩から肌色に近似する色彩又は透明に変わること【選択図】図１
2005349120.tif 000002
【特許請求の範囲】
【請求項１】
以下の要件を備えることを特徴とする、人形玩具。
（イ）上記人形玩具は感温変色する塗料によって所定の色彩で衣服形態に塗装が施されていること
（ロ）上記感温変色塗料は、感温すると上記所定の色彩から肌色に近似する色彩又は透明に変わること
【請求項２】
前記感温変色塗料は、摂氏３０〜４０度を含む温度領域で、肌色に近似する色彩又は透明に変わる、請求項１記載の人形玩具。
【請求項３】
以下の要件を備えることを特徴とする、請求項１又は２記載の人形玩具。
（イ）前記人形玩具は胴体部に対し腕部、脚部、及び頭部が回動自在に取り付けられていること
（ロ）上記腕部と脚部とは内部に芯材を設けないこと
（ハ）上記胴体部に連設された首部には頭部取り付け部分から首筋にかけてスリットが形成されていること
【請求項４】
前記胴体部には前記腕部及び脚部に形成された関節部を胴体内部から隔離する隔壁を設けた、請求項３記載の人形玩具。
【請求項５】
前記胴体部は前胴体部と後胴体部とで構成され、前胴体部と後胴体部との接合部分を超音波溶着した、請求項３又は４記載の人形玩具。
【請求項６】
前記人形玩具の頭部には、感温変色繊維が植毛されている、請求項１、２、３、４又は５記載の人形玩具。
【発明の詳細な説明】
【技術分野】
【０００１】
本発明は、人形玩具、詳しくは入浴時に湯船に持ち込んで人形遊びをする際に最適な構成を有する人形玩具に関するものである。
【背景技術】
【０００２】
従来、胴体部に頭部、腕部、脚部を回動可能に取り付け、胴体部に対して頭部、腕部、脚部を回動させて人間の身体表現に似た表現をさせて遊ぶことができる人形玩具が提案されている（例えば、特許文献１）。
【０００３】
この人形玩具は、胴体部を前部胴体と後部胴体とに分割し、内側に突出形成された係止手段により前部胴体と後部胴体とを合体するとともに、胴体部のそれぞれ対応する位置に球状関節部を介して頭部、腕部、および脚部を連結したものであり、分割した前部胴体と後部胴体とを合体させるためには、一方の胴体部の内側面には先細の角柱ボスを形成し、他方の胴体部の内側面には円筒ボスを形成し、一方の胴体部に形成された先細の角柱ボスを他方の胴体に形成された円筒ボスに嵌合することにより前部胴体と後部胴体とを合体させたものである。
【特許文献１】実開平７−５６９５号公報
【発明の開示】
【発明が解決しようとする課題】
【０００４】
本発明が解決しようとする問題点は、上述の人形玩具は、あくまで室内や屋外で人形遊びをする際、胴体部に取り付けた頭部、腕部、脚部を回動させて人間の仕草と同じような仕草をさせることができるようにしたものであり、湯水に浸すと胴体部や腕部、脚部内に湯水が浸入し、浸入した湯水がいつまでも垂れ落ちて、湯水につけた後はしばらく人形遊びができない点であり、入浴時にも人形遊びができることを想定して開発されたものではない点であった。
【０００５】
本発明は、上記問題点を解決し、入浴しながら人形遊びができ、幼児が進んで入浴をすることができるように仕向けることができる、入浴時に人形遊びをするための最適な構成の人形玩具を提案することを課題とする。
【課題を解決するための手段】
【０００６】
前記課題を解決するために本発明に係る人形玩具は、以下の要件を備えることを特徴とする。
（イ）上記人形玩具は感温変色する塗料によって所定の色彩で衣服形態に塗装が施されていること
（ロ）上記感温変色塗料は、感温すると上記所定の色彩から肌色に近似する色彩又は透明に変わること
【０００７】
なお、前記感温変色塗料は、摂氏３０〜４０度を含む温度領域で、肌色に近似する色彩に変色又は透明に変わることが好ましい。
【０００８】
また、前記人形玩具は、以下の要件を備えていればよい。
（イ）前記人形玩具は胴体部に対し腕部、脚部、及び頭部が回動自在に取り付けられていること
（ロ）上記腕部と脚部とは内部に芯材を設けないこと
（ハ）上記胴体部に連設された首部には頭部取り付け部分から首筋にかけてスリットが形成されていること
【０００９】
そして、前記胴体部には前記腕部及び脚部に形成された関節部を胴体内部から隔離する隔壁を設け、人形玩具を水没させた際に関節部から胴体内部に水が入らないようにすればよい。
【００１０】
さらに、前記胴体部は前胴体部と後胴体部とで構成され、前胴体部と後胴体部との接合部分を超音波溶着し、胴体部内部が密封されるようにすればよい。
【００１１】
そして、前記人形玩具の頭部には、感温変色繊維を植毛し、髪の毛の色も温度によって変色するようにしてもよい。
【発明の効果】
【００１２】
請求項１の発明によれば、風呂の温度と似たような温度で変色する感温変色塗料をもちいることにより、入浴しながら人形遊びをするのに最適な人形玩具を実現することができる。
【００１３】
請求項２の発明によれば、お風呂に浸すと衣服部分の色彩が肌色に変色又は透明になるので、あたかも脱衣して入浴させたような効果を得ることができる。
【００１４】
請求項３の発明によれば、人形玩具を水に浸けても腕部や脚部には従来のような金属の芯材を入れていないので、錆が発生するようなトラブルが起きない。また、頭部内に浸入した水は首筋に形成されたスリットから排水されるので、頭部内の水切りを素早く行うことができ、風呂で遊んだ後も部屋で人形遊びをすることが可能になる。
【００１５】
請求項４の発明によれば、腕部、脚部の付け根から胴体部内部に水が浸入することがなくなり、より確実に胴体内部への水の浸入を防ぐことができる。
【００１６】
請求項５の発明によれば、胴部の接合部は確実に溶着されているので、風呂で遊んでも胴体内部に湯水が入り込むことがなく、入浴時の人形遊びに最適な人形玩具を実現することができる。
【００１７】
請求項６の発明によれば、胴体部の変色に加えて髪の毛の変色を楽しむことができる。
【発明を実施するための最良の形態】
【００１８】
人形玩具は感温変色する塗料によって所定の色彩で衣服形態に塗装を施こし、上記感温変色塗料は、感温すると上記所定の色彩から肌色に近似する色彩に変わるようにし、湯船に浸けたときに着衣を脱いで裸になったように見えるようにした。
【実施例１】
【００１９】
図１は、本発明に係る人形玩具の一例を示し、この人形玩具Ａは、図１（ａ）に示すように、ＡＢＳなどの樹脂で肌色に成型された胴体部１の表面に塗料で衣服形態（本実施例では、水着）に塗装ａが施されたものである。この人形玩具Ａは、図示しない衣服を予め着せておいても構わない。衣服を着せている場合は、衣服を脱がせて水着姿にした人形玩具Ａを、お風呂で湯船に浸けて遊ぶことができるようにしたものである。上記塗料は、感温変色塗料で構成し、常温では赤や青の色を提示し、温度が上昇して摂氏３０〜４０度になると他の色（本実施例では肌色）に変色、若しくは透明になり下地の胴体部１の色が透視することができるように構成されたものを使用すればよい。
【００２０】
上記人形玩具Ａによれば、図１（ｂ）に示すように、水着姿の人形玩具Ａを手にして風呂に入り、湯船のお湯ｂに人形玩具Ａを浸けると、図１（ｃ）に示すように、湯温で変色して水着ａの色が肌色ａ´に変化、若しくは透明になって下地の色が透視できるので、あたかも水着ａを脱いで裸になってお風呂に入っている状態にした人形玩具にすることができ、全ての着衣を取らなくても裸の人形の状態にすることができ、湯船に人形玩具と一緒に入っていても違和感のない人形遊びをすることができる。
【００２１】
しかも、プールで遊ぶような場合は、水温は低いので感温変色玩具は温度による変色が行われないので、水着を模して塗布された塗料は所定の色を継続して呈するので、水着を着用したままの人形玩具で遊ぶことができ、プールで裸の人形と遊ぶという不自然さが起きることはない。
【実施例２】
【００２２】
次に、人形玩具の他の実施例について説明する。この人形玩具Ａは、図２に示すように、胴体部１に対し頭部２、腕部３、脚部４が回動可能に取り付けられ、人間の仕草と同じような仕草をさせることができるようにしたものである。
【００２３】
胴体部１は、図３に示すように、前胴体部１ａと後胴体部１ｂとで構成され、前胴体部１ａと後胴体部１ｂとは上部に一体に首部５が形成され、首部５の上部は円錐台状の挿入部６が形成されている。
【００２４】
そして、前胴体部１ａと後胴体部１ｂとの肩部分と腰部分との側面には腕部３と脚部４とに形成された関節部１０、１１の嵌合溝１２、１３を嵌合する嵌合口１４、１５が形成されるとともに、各嵌合口１４、１５の内側には関節部１０、１１を収容するとともに胴体部１内部から関節部１０、１１を隔離する隔壁１６、１７で形成された収容部１８、１９が形成されている。
【００２５】
また、前胴体部１ａの内壁面には嵌合筒部２０が突出形成され、周端面の内側部分は係合凸縁２１が周設されている。一方、後胴体部１ｂの内壁面には上記嵌合筒部２０に嵌合する嵌合軸２２が突出形成され、周端面の内側部分は係合凹部２３が周設されている。
【００２６】
さらに、後胴体部１ｂの挿入部６から首部５の上部にかけて縦にスリット２５が形成され、首部５と挿入部６との間には嵌合凹部２６が周設されている（図５（ａ）参照）。
【００２７】
上記前胴体部１ａと後胴体部１ｂとは、嵌合筒部２０を嵌合軸２２に嵌め合わせ、前胴体部１ａの周端面の係合凸縁２１と、後胴体部１ｂの周端面の係合凹部２３とを係合させた上で、超音波溶着することにより前胴体部１ａと後胴体部１ｂとはその接合面で溶着し、胴体内部は密閉された空間を形成することができるようになっている。
【００２８】
頭部２は軟質合成樹脂（例えば、熱可塑性エラストマー）を射出成型で中空に成型するとともに、底部には胴体部１の首部５に嵌め合わせる開口部２７が形成されている。この開口部２７は、首部５と首部５の上部に形成された円錐台状の挿入部６の間に周設された嵌合凹部２６に嵌め合わせることができる大きさに形成されている。
【００２９】
腕部３と脚部４とはそれぞれ軟質合成樹脂（例えば、熱可塑性エラストマー）を射出成型で芯材を埋め込むことなく、関節部１０、１１を一体に成型したもので、関節部１０と腕部３との連結部分、関節部１１と脚部４との連結部分にはそれぞれ嵌合溝１２、１３が周設されている（図４参照）。
【００３０】
上記構成の人形玩具は、図６に示すように腕部３と、脚部４との関節部１０、１１に形成された嵌合溝１２、１３をそれぞれ後胴体部１ｂの嵌合口１４、１５に嵌め合わせ、関節部１０、１１を胴体部１の隔壁１６、１７で形成された収容部１８、１９に収容する。
【００３１】
次に、前胴体部１ａの嵌合筒部２０を後胴体部１ｂの嵌合筒２２に嵌め合わせるとともに、後胴体部１ｂの周端面の係合凹部２３に前胴体部１ａの周端面の係合凸縁２１を係合させ、前胴体部１ａと後胴体部１ｂとの接合面を密着した上で、超音波溶着すればよい。超音波溶着することにより、前胴体部１ａと後胴体部１ｂとの接合面（前胴体部１ａの係合凸縁２１と後胴体部１ｂの係合凹部２３、及び前胴体部１ａの隔壁１６、１７と後胴体部１ｂの隔壁１６、１７）は溶着するので、胴体部１の内部ｃ（図３（ａ）参照）は完全に密閉されることになる。
【００３２】
次に、前胴体部１ａと後胴体部１ｂとの首部５及び挿入部６は円柱状及び円錐台状になっているので、図７に示すように、頭部２の開口部２７に挿入部６を差し込めばよい。挿入部６は円錐台状になっているので頭部２の開口部２７を拡幅しながら頭部２内に浸入し、嵌合凹部２６に対応するまで差し込むと、開口部２７は収縮し首部５に安定した状態で取り付けることができる。
【００３３】
上述の人形玩具を、水中に没するように浸けた場合は、頭髪を植毛するための植毛孔（図示せず）から頭部２の内部に水が浸入するが、胴体部１は密閉されているので胴体部１内部に水が浸入することはない。水中から引き上げた人形玩具は頭部２内に水が浸入しているので、頭部２を摘むようにして押し潰すと、頭部２内の水は首部５の後ろに形成されたスリット２５が首筋まで伸びているので（図５（ｂ）参照）、頭部２内の水はスリット２５から排水され、頭部２内に水が残留することはなく、人形玩具の表面は濡れているが、布などで拭き取れば人形玩具から水が滴り落ちるようなことはなく、例えば、お風呂で入浴しながら人形遊びを行い、風呂から出た後も引き続いてその人形玩具を使って人形遊びをすることができる。
【００３４】
なお、上記人形玩具Ａの頭髪は感温変色繊維で構成されていてもよい。この感温変色繊維は、例えば可逆性熱変色材がブレンドされたポリオレフィン樹脂のフィラメント状の成形体であればよい。上記可逆性熱変色材としては、従来公知の電子供与性呈色性化合物と電子受容性顕色剤との組み合わせをベースとした熱変色成分が有効である。例えば、電子供与性発色剤、フェノール性水酸基を有する化合物及びそれらの金属塩・芳香族カルボン酸及び炭素数２〜５の脂肪族カルボン酸などの電子受容性顕色剤、アルコール類、エステル類、ケトン類、エーテル類などの変色温度調節剤からなる熱変色顔料を用いればよい。
【００３５】
上記人形玩具Ａは、温度が上がると頭髪の色が変わるので、水着姿の人形玩具Ａを手にして風呂に入り、湯船のお湯に人形玩具Ａを浸けると、図１（ｃ）に示すように、湯温で変色して水着ａの色が肌色に変化、若しくは透明になって下地の色が透視できるので、あたかも水着ａを脱いで裸になってお風呂に入っている人形玩具にすることができとともに、頭髪の色も変わるので、その変化を楽しむことができる。
【図面の簡単な説明】
【００３６】
【図１】（ａ）〜（ｃ）は本発明に係る人形玩具の一例の説明図
【図２】人形玩具の他の例を説明する正面図
【図３】（ａ）（ｂ）は上記他の例の人形玩具の前胴体部及び後胴体部の内部構造の説明図
【図４】胴体部と腕部及び脚部との関係を示す説明図
【図５】（ａ）（ｂ）は後胴体部の首部を説明する斜視図及び首部と頭部との関係を説明する背面側の要部断面図
【図６】上記人形玩具の組み立ての過程を示す説明図
【図７】上記人形玩具の組み立ての過程を示す説明図
【符号の説明】
【００３７】
１    胴体部
２    頭部
３    腕部
４    脚部
５    首部
１０    関節部
１１    関節部
１６    隔壁
１７    隔壁
２５    スリット
ａ    塗装
Ａ    人形玩具
【図１】
2005349120.tif 000003
【図２】
2005349120.tif 000004
【図３】
2005349120.tif 000005
【図４】
2005349120.tif 000006
【図５】
2005349120.tif 000007
【図６】
2005349120.tif 000008
【図７】
2005349120.tif 000009